(57)【要約】【課題】  椅子フレームから着脱可能な椅子カバーを提供する。【解決手段】  本発明の椅子カバー１０は、座面枠体と前記座面枠体の後縁部から上方に立ち上げられる背もたれ枠体とを有する折り畳み式の椅子フレームに取り付けられる椅子カバー１０であって、前記背もたれ枠体に着脱可能な第１係止部７２を有する背もたれカバー部７と、前記座面枠体に着脱可能な第２係止部６２を有し且つ前記背もたれカバー部７と連結された座面カバー部６と、を有する。【選択図】  図４
2018175100.tif 000002
【特許請求の範囲】
【請求項１】
座面枠体と前記座面枠体の後縁部から上方に立ち上げられる背もたれ枠体とを有する折り畳み式の椅子フレームに取り付けられる椅子カバーであって、
前記背もたれ枠体に着脱可能な第１係止部を有する背もたれカバー部と、
前記座面枠体に着脱可能な第２係止部を有し且つ前記背もたれカバー部と連結された座面カバー部と、を有することを特徴とする、椅子カバー。
【請求項２】
前記座面カバー部と前記背もたれカバー部の連結部から延設された第３係止部をさらに有し、
前記第３係止部が、前記座面枠体の後縁部に設けられた棒状部材に着脱可能である、請求項１に記載の椅子カバー。
【請求項３】
前記第１係止部が、前記背もたれ枠体の上縁部に係止可能とされており、且つ、前記第２係止部が、前記座面枠体の前縁部に係止可能とされており、
前記第１係止部と第３係止部との間、又は、前記第１係止部と前記座面カバー部の裏面との間に架設され、前記座面カバー部を前記背もたれカバー部側に引き寄せる引張部材をさらに有する、請求項２に記載の椅子カバー。
【請求項４】
座面枠体と前記座面枠体の後縁部から上方に延設された背もたれ枠体を有する折り畳み式の椅子フレームと、請求項１乃至３の何れか一項に記載の椅子カバーと、を有し、
前記椅子フレームに前記椅子カバーが取り付けられた、折り畳み椅子。
【発明の詳細な説明】
【技術分野】
【０００１】
本発明は、椅子フレームに着脱可能な椅子カバー及び折り畳み椅子に関する。
【背景技術】
【０００２】
従来、特許文献１に示されるように、パイプからなる椅子フレームと、この椅子フレームに固定された背もたれ部と座面部を有する椅子カバーと、を具備する折り畳み椅子が存在する。
折り畳み椅子は、小さく折り畳むことが可能なので、キャンプや釣りなど屋外レジャー用途で使用されることが多く、それ故、椅子カバーは汚れやすい。しかしながら、従来の折り畳み椅子は、椅子カバーが椅子フレームから着脱できないように取り付けられているため、これを新品に交換又は椅子フレームから取り外して洗うことが困難である。また、使用者が椅子カバーの意匠に飽きた場合であっても、これを他の意匠の椅子カバーに交換することも困難である。
従って、椅子カバーが著しく汚れた場合、又は、使用者が椅子カバーの意匠に飽きた場合、椅子フレームがまだ十分に使用できる状態であっても、椅子フレームごと折り畳み椅子を破棄して新品の折り畳み椅子を購入しなければならず、非常に経済性が悪いという問題がある。
【先行技術文献】
【特許文献】
【０００３】
【特許文献１】特開２００１−０７００７７
【発明の概要】
【発明が解決しようとする課題】
【０００４】
本発明の課題は、椅子フレームから着脱可能な椅子カバー、及びこの椅子カバーが取り付けられた折り畳み椅子を提供することである。
【課題を解決するための手段】
【０００５】
本発明の椅子カバーは、座面枠体と前記座面枠体の後縁部から上方に立ち上げられる背もたれ枠体とを有する折り畳み式の椅子フレームに取り付けられる椅子カバーであって、前記背もたれ枠体に着脱可能な第１係止部を有する背もたれカバー部と、前記座面枠体に着脱可能な第２係止部を有し且つ前記背もたれカバー部と連結された座面カバー部と、を有する。
【０００６】
好ましくは、本発明の椅子カバーは、前記座面カバー部と前記背もたれカバー部の連結部から延設された第３係止部をさらに有し、前記第３係止部が、前記座面枠体の後縁部に設けられた棒状部材に着脱可能である。
また、好ましくは、本発明の椅子カバーは、前記第１係止部が、前記背もたれ枠体の上縁部に係止可能とされており、且つ、前記第２係止部が、前記座面枠体の前縁部に係止可能とされており、前記第１係止部と第３係止部との間、又は、前記第１係止部と前記座面カバー部の裏面との間に架設され、前記座面カバー部を前記背もたれカバー部側に引き寄せる引張部材をさらに有する。
【０００７】
本発明の別に局面によれば、折り畳み椅子が提供される。
本発明の折り畳み椅子は、座面枠体と前記座面枠体の後縁部から上方に延設された背もたれ枠体を有する折り畳み式の椅子フレームと、上記に記載の椅子カバーと、を有し、前記椅子フレームに前記椅子カバーが取り付けられている。
【発明の効果】
【０００８】
本発明の椅子カバーは、背もたれカバー部が椅子フレームの背もたれ枠体に着脱可能な第１係止部を有し、且つ、座面カバー部が椅子フレームの座面枠体に着脱可能な第２係止部を有する。そのため、第１係止部及び第２係止部をそれぞれ背もたれ枠体及び座面枠体に着脱することにより椅子カバーを椅子フレームに簡単に着脱することができる。
【図面の簡単な説明】
【０００９】
【図１】椅子フレームの斜視図。
【図２】図１の一点鎖線で囲われた部分を示す一部拡大側面図。
【図３】第１実施形態に係る椅子カバーの正面図。
【図４】同背面図。
【図５】同右側面図。
【図６】同平面図。
【図７】同底面図。
【図８】第３係止部の雄面ファスナー領域と雌面ファスナー領域を連結した状態を示す第１実施形態に係る椅子カバーの背面図。
【図９】図８のＩＸ−ＩＸ線拡大断面図。
【図１０】図８のＸ−Ｘ線拡大断面図。
【図１１】中間状態にある折り畳み椅子を示す断面図。
【図１２】閉状態にある折り畳み椅子を示す斜視図。
【図１３】閉状態から開状態に変形させる状態を示す折り畳み椅子の斜視図。
【図１４】折り畳み椅子の斜視図。
【図１５】折り畳み椅子の後方且つ下方からの斜視図。
【図１６】図１４のＸＶＩ−ＸＶＩ線断面図。
【図１７】第２実施形態に係る椅子カバーを示す背面図。
【図１８】第３実施形態に係る椅子カバーを示す背面図。
【図１９】第４実施形態に係る椅子カバーを示す背面図。
【図２０】第５実施形態に係る椅子カバーを示す背面図。
【図２１】第６実施形態に係る椅子カバーを示す背面図。
【図２２】第７実施形態に係る椅子カバーを示す背面図。
【図２３】第８実施形態に係る椅子カバーを示す背面図。
【発明を実施するための形態】
【００１０】
本発明の椅子カバーについて説明する前に、本発明の椅子カバーが取り付けられる対象である折り畳み式の椅子フレームの構成について図１及び図２を参照しつつ説明する。
なお、椅子フレームは折り畳んだ状態と広げた状態に変形させることができるが、本明細書では、便宜上、前者の状態を「閉状態」とし、後者の状態を「開状態」とする。
【００１１】
また、本明細書において、椅子フレーム及び椅子カバーが取り付けられた折り畳み椅子について言及する場合、開状態で設置された椅子フレーム又は折り畳み椅子の設置面に向かう方向を「下」とし、下と反対方向を「上」とし、開状態で設置された折り畳み椅子に腰掛けた際、使用者の視線が向かう方向を「前」とし、前と反対方向を「後」とし、上下方向及び前後方向と直交する方向を「側方」とする。図２に示す椅子フレーム２０の部分拡大側面図を例にすると、紙面の右側が「前」であり、紙面の左側が「後」であり、紙面の上側が「上」であり、紙面の下側が「下」である。他方、椅子フレームに取り付けられる前の椅子カバーについて言及する場合、扁平に広げた椅子カバーを基準に、背もたれカバー部から座面カバー部に向かう方向を「下」とし、下と反対方向を「上」とし、上下方向と直交し且つ背もたれカバー部及び座面カバー部が延びる方向を「側方」とする。図３及び図４に示す椅子カバー１０の正面図及び背面図を例にすると、紙面の上側が「上」であり、紙面の下側が「下」であり、紙面の左右側が「側方」である。また、扁平に広げられた椅子カバー１０を基準に、第３係止部が設けられた側を「裏面側」とし、裏面側と反対側を「正面側」とする（図６及び図７参照）。
【００１２】
［椅子フレーム］
図１及び図２に示すように、椅子フレーム２０は、座面枠体１と背もたれ枠体２を有する。
座面枠体１は、本発明の椅子カバー１０が取り付けられることで折り畳み椅子の座面を構成する部材であり、本例では、前後方向に延びる２つの第１側縁部１１と、２つの第１側縁部１１の前端部に架設された前縁部１２と、を有する平面視コの字状の枠体である。本例では、第１側縁部１１と前縁部１２は、１本のパイプを折り曲げ加工することにより、連結手段を用いることなく一体的に形成されているが、両者は別体で構成され且つ適当な連結手段によって一体化されていてもよい（図示せず）。
背もたれ枠体２は、開状態において座面枠体１の後縁部から上方に立ち上げられていると共に、本発明の椅子カバー１０が取り付けられることで折り畳み椅子３０の背もたれ面を構成する部材である。本例では、背もたれ枠体２は、開状態において、座面枠体１の後縁部から上方に延びる２つの第２側縁部２１と、２つの第２側縁部２１の上端部に架設された上縁部２２と、を有する正面視コの字状の枠体である。座面枠体１と同様、第２側縁部２１と上縁部２２は、本例のように一体的に形成されてもよく、別体で構成され且つ適当な連結手段を用いて一体化されてもよい（図示せず）。
座面枠体１の後縁部には、棒状部材３が設けられている。具体的には、本例では、座面枠体１の２つの第１側縁部１１の後端部に棒状部材３が架設されている。なお、棒状部材３は、背もたれ枠体２の第２側縁部２１の下端部に架設されていてもよい（図示せず）。また、本例では、座面枠体１と棒状部材３は別体であり、連結手段（本例ではネジ）を用いて両者が一体化されているが、座面枠体１と棒状部材３は１本のパイプを折り曲げ加工することにより一体的に形成されていてもよい（図示せず）。
【００１３】
座面枠体１には、前脚枠体４が連結されている。前脚枠体４は、座面枠体１の２つの第１側縁部１１の前方寄り中途部から上下方向に延びる２つの前脚部４１と、２つの前脚部４１の下端部に架設された第１接地部４２と、を有する正面視コの字状の枠体である。座面枠体１と同様、２つの前脚部４１と第１接地部４２は、本例のように一体的に形成されてもよく、別体で構成され且つ適当な連結手段を用いて一体化されてもよい（図示せず）。
前脚枠体４と座面枠体１は、互いに枢動可能な状態で連結されている。つまり、座面枠体４の前脚部４１の中途部と座面枠体１の第１側延部１１の中途部に、第１軸部材Ａ１が挿通されており、この第１軸部材Ａ１を支点として前脚枠体４と座面枠体１は互いに枢動可能である。
なお、本例では、前脚枠体４と第１側縁部１１の間において、第１軸部材Ａ１の周面が円筒状のスペーサー１３に覆われているが、このスペーサー１３は適宜省略することができる。
【００１４】
座面枠体１には、後脚枠体５が連結されている。後脚枠体５は、座面枠体１の２つの第１側縁部１１の後方寄り中途部から上下方向に延びる２つの後脚部５１と、２つの後脚部５１の下端部に架設された第２接地部５２と、を有する正面視コの字状の枠体である。座面枠体１と同様、２つの後脚部５１と第２接地部５２は、本例のように一体的に形成されてもよく、別体で構成され且つ適当な連結手段を用いて一体化されてもよい（図示せず）。
【００１５】
図２に示すように、座面枠体１、後脚枠体５及び背もたれ枠体２は、側面視くの字状の連結金具２３及び第２乃至第４軸部材Ａ２〜Ａ４を介して一体化されている。
具体的には、背もたれ枠体２の後脚部５１の下端部及び連結金具２３の上端部に第２軸部材Ａ２が挿通されており、座面枠体１の第１側縁部１１の後端部及び連結金具２３のくの字の屈曲部に第３軸部材Ａ３が挿通されており、後脚枠体５の後脚部５１の中途部及び連結金具２３の下端部に第４軸部材Ａ４が挿通されている。背もたれ枠体２は第２軸部材Ａ２を支点として枢動可能であり、座面枠体１は第３軸部材Ａ３を支点として枢動可能であり、後脚枠体５は第４軸部材Ａ４を支点として枢動可能である。
また、本例では、図１に示すように、前脚枠体４と後脚枠体５の上端部に肘掛け部４３が架設されている。肘掛け部４３の前端部及び前脚枠体４の前脚部４１の上端部には第５軸部材Ａ５が挿通されており、肘掛け部４３の中途部及び後脚枠体５の後脚部５１の上端部には第６軸部材Ａ６が挿通されており、肘掛け部４３の後端部及び背もたれ枠体２の第２側縁部２１の中途部には第７軸部材Ａ７が挿通されている。第５軸部材Ａ５を支点として肘掛け部４３と前脚枠体４は互いに枢動可能であり、第６軸部材Ａ６を支点として肘掛け部４３と後脚枠体５は互いに枢動可能であり、第７軸部材Ａ７を支点として肘掛け部４３と背もたれ枠体２は互いに枢動可能である。
【００１６】
このように、本例では、座面枠体１、背もたれ枠体２、前脚枠体４、後脚枠体５、肘掛け部４３が、第１乃至第７軸部材Ａ１〜Ａ７及び連結金具４３を介して一体化されている。そのため、図１のように開状態にある椅子フレーム２０の背もたれ枠体２を前方に倒れ込ませると、椅子フレーム２０を構成する各部材は、背もたれ枠体２の動きに伴って枢動し、その結果、椅子フレーム２０は、背もたれ枠体２と座面枠体１が対面した扁平な閉状態に変形する（図１２参照）。背もたれ枠体２以外の部材を枢動させた場合も同様に開状態から閉状態へ変形させることができる。開状態の椅子フレーム２０は嵩張るため持ち運び難いが、閉状態にすることで椅子フレーム２０は嵩張らなくなり、比較的容易に持ち運ぶことができる。
【００１７】
椅子フレーム２０を構成する、座面枠体１、背もたれ枠体２、棒状部材３、前脚枠体４、後脚枠体５、及び肘掛け部４３などの形成材料は、折り畳み椅子３０としての強度を担保できるものであれば特に限定されず、任意の材料を用いることができる。形成材料としては、例えば、アルミニウム、鉄、銅、又は真鍮などの金属、木材又は竹材などの天然素材、ポリ塩化ビニル又はＰＥＴなどの合成樹脂などが挙げられる。これらの形成材料は、中空状に成形されてもよく中実状に成形されてもよいが、好ましくは、椅子フレームの軽量化を図って中空状に成形される。一般的には、金属又は合成樹脂を中空状に成形されたパイプが用いられる。
【００１８】
なお、椅子フレーム２０の形態は本例に限定されず、本発明の意図する範囲で適宜変更することができる。例えば、本例では、前脚枠体４及び後脚枠体５の上端部に肘掛け部４３が架設されているが、この肘掛け部４３は省略することができる。また、本例では、前脚枠体４の２つの前脚部４１は、座面枠体１の２つの第１側縁部１１の中途部から上下方向に延びるように設けられているが、前脚部４１は、座面枠体１の第１側縁部１１の前端部に設けられていてもよい（後脚部５１についても同様である）。さらに、本例では、二人掛けの折り畳み椅子３０を構成する椅子フレーム２０を例示しているため、座面枠体１の前縁部１２及び棒状部材３の長さが、成人の肩幅の約２倍の長さとされている。しかし、座面枠体１の前縁部１２及び棒状部材３の長さを成人の肩幅と略同じとすることで、一人掛け用の椅子フレーム２０を構成することもでき、成人の肩幅の３倍以上の長さとすることで、３人以上が腰掛け可能な椅子フレーム２０を構成することもできる。
以下、図３乃至図１６を参照しつつ、本発明の第１実施形態に係る椅子カバー１０について説明した後、この椅子カバー１０を椅子フレーム２０に取り付ける手順について説明するが、第１実施形態に係る椅子カバー１０は、上記に例示した椅子フレーム２０に取り付ることを想定して各部の寸法が定められている。椅子フレーム２０の形態を変更した場合、椅子カバー１０各部の寸法もそれに合わせて適宜変更される。後述する第２乃至第８実施形態に係る椅子カバー１０についても同様である。
【００１９】
［第１実施形態］
図３乃至図７に示すように、本発明の椅子カバー１０は、少なくとも背もたれカバー部７と、座面カバー部６と、を有する。
背もたれカバー部７は、上述した椅子フレーム２０の背もたれ枠体２と共に折り畳み椅子３０の背もたれ面を構成する部分であり、座面カバー部６は、上述した椅子フレーム２０の座面枠体１と共に折り畳み椅子３０の座面を構成する部分である。
【００２０】
背もたれカバー部７は、背もたれ枠体２に着脱可能な第１係止部７１を有する。この第１係止部７１を背もたれ枠体２に係止することにより、背もたれカバー部７が背もたれ枠体２に取り付けられる。
本実施形態では、第１係止部７１は、開状態において、椅子フレーム１０の背もたれ枠体２の前側を覆う前面部７１１と、背もたれ枠体２の後ろ側を覆う後面部７１２と、を有する。
前面部７１１及び後面部７１２は、共にコの字状の背もたれ枠体２を覆うため、全体的に略長方形状とされている。前面部７１１及び後面部７１２の幅（側方における長さ）は、背もたれ枠体２の上縁部２２の長さと略同じである。また、前面部７１１の上下方向における長さは、背もたれ枠体２の第２側縁部２１の長さと略同じである。他方、後面部７１２の上下方向における長さは、第２側縁部２１の長さよりも短い。従って、図４に示すように、扁平な椅子カバー１０を背面視した場合、後面部７１２の下方に前面部７１１の下部が露出する。
もっとも、後面部７１２の上下方向における長さは、前面部７１１と同じであってもよい（図示せず）。この場合、扁平な椅子カバー１０を背面視した場合、前面部７１１は後面部７１２に隠れて観察できない。
また、本実施形態では、前面部７１１の下部は、全体的にその幅が背もたれ枠体２の上縁部２２よりも若干短い。そのため、本実施形態の椅子カバー１０を椅子フレーム２０に取り付けると、背もたれ枠体２の第２側縁部２１の下端部が露出する（図１４参照）。もっとも、前面部７１１の下部の幅は、背もたれ枠体２の上縁部２２の長さと略同じであってもよい。この場合、第２側縁部２１の下端部は露出しない（図示せず）。
【００２１】
本実施形態において、第１係止部７１は、左右一対の第１切欠部７２を有している。この第１切欠部７２によって、前面部７１１及び後面部７１２の幅は、その上端部において背もたれ枠体２の上縁部２２よりも短くされている。後面部７１２は、その下縁部と第１切欠部７２を除いて、その周縁部が前面部７１１と接着剤によって接着及び／又は縫い糸により縫合されている（以下、両者を「固着」と総称する）。
後面部７１２の下縁部は前面部７１１と固着されておらず、それにより第１開口部７３が形成されている。また、後面部７１２と前面部７１１は、その第１切欠部７２においても固着されておらず、それにより左右一対の第１枠体露出孔７４が形成されている。そのため、本実施形態の椅子カバー１０を椅子フレーム２０に取り付けると、背もたれ枠体２が左右一対の第１枠体露出孔７４から露出する（図１４参照）。
なお、第１切欠部７２には、帯状の補強帯が固着されていてもよい（図示せず）。第１切欠部７２は、背もたれカバー部７を背もたれ枠体２に係止させる際、負荷が大きくかかる部分であるが、補強帯によって第１切欠部７２を補強することにより、背もたれカバー部７を背もたれ枠体２に係止させる際、椅子カバー１０が第１枠体露出孔７４から破断し難くなる。後述する第２切欠部６４についても同様である。
【００２２】
このように、本実施形態では、第１係止部７１は、前面部７１１及び後面部７１２からなる袋状に形成されている。本実施形態では、後面部７１２の下縁部と第１切欠部７２は固着されていないため、第１係止部７１は、３つの穴（第１開口部７３及び左右一対の第１枠体露出孔７４）を有する袋状に形成されている。後述するように、背もたれ枠体２を第１開口部７３から袋状の第１係止部７１に押し入れることにより、背もたれカバー部７を背もたれ枠体２に係止することができる。即ち、本実施形態では、第１係止部７１は、前面部７１１と後面部７１２の協働により、背もたれ枠体２に係止される。
【００２３】
座面カバー部６は、座面枠体１に着脱可能な第２係止部６１を有する。この第２係止部６１を座面枠体１に係止することにより、座面カバー部６が座面枠体１に取り付けられる。
本実施形態では、第２係止部６１は、開状態において、椅子フレーム１０の座面枠体１の上側を覆う上面部６１１と、座面枠体１の下側を覆う裏面部６１２と、を有する。
上面部６１１及び裏面部６１２は、共にコの字状の座面枠体１を覆うため、全体的に略長方形状とされている。上面部６１１及び裏面部６１２の幅（側方における長さ）は、座面枠体１の前縁部１２の長さと略同じである。また、上面部６１１の上下方向における長さは、座面枠体１の第１側縁部１１の長さと略同じである。他方、裏面部６１２の上下方向における長さは、第１側縁部１１の長さよりも短い。従って、図４に示すように、扁平な椅子カバー１０を背面視した場合、裏面部６１２の上方に上面部６１１の上部が露出する。
【００２４】
本実施形態において、座面カバー部６は、左右一対の第２切欠部６２を有している。この第２切欠部６２によって、上面部６１１及び裏面部６１２の幅は、その下端部において座面枠体１の前縁部１２よりも短くされている。
裏面部６１２は、その上縁部と第２切欠部６２を除いて、その周縁部が上面部６１１と固着されている。裏面部６１２の上縁部は上面部６１１と固着されておらず、それにより第２開口部６３が形成されている。また、上面部６１１と裏面部６１２は、その第２切欠部６２においても固着されておらず、それにより第２枠体露出孔６４が形成されている。そのため、本実施形態の椅子カバー１０を椅子フレーム２０に取り付けると、座面枠体１が左右一対の第２枠体露出孔６４から露出する（図１４参照）。
【００２５】
このように、本実施形態では、第２係止部６１は、上面部６１１及び裏面部６１２からなる袋状に形成されている。本実施形態では、裏面部６１２の上縁部と第２切欠部６２は固着されていないため、第２係止部６１は、３つの穴（第２開口部６３及び左右一対の第２枠体露出孔６４）を有する袋状に形成されている。後述するように、座面枠体１を第２開口部６３から袋状の第２係止部６１に押し入れることにより、座面カバー部６を座面枠体１に係止することができる。即ち、本実施形態では、第２係止部６１は、上面部６１１と裏面部６１２の協働により、座面枠体１に係止される。
なお、本実施形態では、第２係止部６１には、上面部６１１と裏面部６１２を連結する第１連結手段６５が設けられており、この第１連結手段６５により上面部６１１と裏面部６１２が着脱可能に連結される。図４において、第１連結手段６５が設けられた部分を破線で囲っている。
第１連結手段６５としては、例えば、面ファスナーを用いることができる。本実施形態では、裏面部６１２の正面側に設けられた側方に延びる雄面ファスナー領域６５１を上面部６１１の裏面側に設けられた側方に延びる雌面ファスナー領域６５２に押し当てることにより、上面部６１１と裏面部６１２を着脱可能に連結できる（図９及び図１０参照）。
第１連結手段６５を第２係止部６１に設けることにより、第２係止部６１が座面枠体１から抜け落ち難くなり、その結果、より強固に座面カバー部６を座面枠体１に取り付けることができる。もっとも、第１連結手段６５を省略することも可能である。
【００２６】
また、本実施形態では、座面カバー部６は、上面部６１１の側縁部から側方に延設された左右一対の耳部６６を有する。耳部６６は、上述した座面枠体１の２つの第１側縁部１１に巻き付かせて使用される部分である。
耳部６６と上面部６１１は、第２連結手段６７によって連結可能であり、本実施形態では第２連結手段６７として面ファスナーを用いている。具体的には、第２連結手段６７は、耳部６６の裏面側における側縁部に設けられた上下方向に延びる雄面ファスナー領域６７１と、上面部６１１の裏面側における側縁部に設けられた上下方向に延びる雌面ファスナー領域６７２と、を有する。耳部６６を丸めて雄面ファスナー領域６７１を雌面ファスナー領域６７２ファスナー領域に押し付けることにより、耳部６６と上面部６１１を着脱可能に連結できる。
このように、本実施形態では、座面カバー部６に耳部６６を設けることにより、より強固に座面カバー部６を座面枠体１に取り付けることができるが、耳部６６及び第２連結手段６７を省略することも可能である。
【００２７】
本実施形態では、椅子カバー１０は、その背面側において、背もたれカバー部７と座面カバー部６の連結部から延設された第３係止部８を有する。第３係止部８は、椅子カバー１０を椅子フレーム２０の棒状部材３に係止させる部分である。なお、背もたれカバー部７と座面カバー部６の連結部は、背もたれカバー部７の前面部７１１と座面カバー部６の上面部６１１の境界部分である。
本実施形態では、棒状部材３に巻き付くことにより椅子カバー１０と椅子フレーム２０を係止する第３係止部８を用いている。具体的には、第３係止部８は、背もたれカバー部７と座面カバー部６の連結部から下方に延びた巻着部８１と、巻着部８１に設けられた第３連結手段８２と、を有する。巻着部８１は、椅子フレーム２０の棒状部材３に巻き付く部分であり、第３連結手段８２は巻き付いた巻着部８１が棒状部材３から脱落しないように保つ部材である。
本実施形態では、巻着部８１は、背もたれカバー部７の後面部７１２の下縁部と略同じ長さの長辺を有する長方形状に形成されている。図４に示すように、巻着部８１は座面カバー部６の上面部６１１と重なり合うように（即ち、下方に延びるように）設けられているが、巻着部８１は背もたれカバー部７の前面部７１１と重なり合うように（即ち、上方に延びるように）設けられていてもよい（図示せず）。また、本実施形態では、巻着部８１の短辺の長さは、座面カバー部６の耳部６６の２／３程度の長さとされている。もっとも、巻着部８１の短辺の長さは、椅子フレーム２０の棒状部材３の太さを考慮して適宜変更することができる。
本実施形態では、第３係止部８の第３連結手段８２として面ファスナーを用いている。具体的には、巻着部８１の裏面側における下縁部には、側方に延びる雄面ファスナー領域８２１が設けられており、巻着部８１の裏面側における上縁部には、側方に延びる雌面ファスナー領域８２２が設けられている。
雄面ファスナー領域８２１を雌面ファスナー領域８２２に押し付けることにより、巻着部８１の上縁部と下縁部を着脱可能に連結される（図８乃至図１０参照。なお、図９及び図１０については、層構成を分かりやすくするため、便宜上、袋状の背もたれカバー部７及び座面カバー部６の内側に空隙を設けている。）。そのため、後述するように、第３係止部８の巻着部８１を棒状部材３に巻き付けたうえで両面ファスナー領域８２１，８２２を連結することで、第３係止部８の形状が筒状に保たれ、第３係止部８が棒状部材３から脱落し難くなる。
【００２８】
本実施形態では、椅子カバー１０は、椅子フレーム２０に取り付けられた際、第１係止部７１と第３係止部８との間に架設される引張部材９をさらに有する。引張部材９の形態は、第１係止部７１と第３係止部８に架設可能であれば特に限定されないが、本実施形態では、第３係止部８から延設された帯状体９１と、背面側における第１係止部７１の下縁部（即ち、後面部７１２の下縁部）に設けられたコキ９２を有する引張部材９が用いられている。
帯状体９１は、第３係止部８の巻着部８１の正面側から下方に延びており、側方に等間隔を空けて複数（本実施形態では３つ）設けられている。コキ９２は、後面部７１２の下縁部から下方に延びる帯状部９２１と帯状部９２１の先端に設けられたコキ本体９２２を有しており、側方に等間隔を空けて複数（本実施形態では３つ）設けられている。帯状体９１及びコキ９２の帯状部９２１の長さは特に限定されず、椅子カバー１０を取り付ける椅子フレーム２０の形態に合わせて適宜変更することができる。本実施形態では、帯状体９１は帯状部９２１の約３倍の長さを有する。
後述するように、椅子フレーム２０に椅子カバー１０を取り付けた後、帯状体９１を後方に引っ張ることにより第３係止部８が引っ張られ、それに伴い、第３係止部８と繋がった座面カバー部６を後方（即ち、背もたれカバー部７の側）に引き寄せることができる。そして、帯状体９１をコキ９２に連結することで、座面カバー部６が後方に引き寄せられた状態を保つことができる。
【００２９】
本実施形態において、椅子カバー１０は、コキ本体９２２を除いて、柔軟なシート体から形成されている。柔軟なシート体としては、例えば、天然繊維、合成繊維又はこれらの混合繊維などからなる織り布又は編み布、合成樹脂シート、天然皮革又は合成皮革などが挙げられる。この中でも特に、比較的廉価且つ耐久性に優れることから、合成繊維を用いることが好ましい。
シート体の厚みは特に限定されず、シート体の材料及び椅子カバー１０の部分に応じて適宜変更することができる。例えば、座面シート部６及び背もたれカバー部７を構成するシート体の厚みは、０．３ｍｍ〜３ｍｍであることが好ましく、０．３ｍｍ〜１ｍｍであることがより好ましく、０．５ｍｍ〜１ｍｍであることがさらに好ましい。他方、帯状体９１及びコキ９２の帯状部９２１を構成するシート体の厚みは、０．５ｍｍ〜３ｍｍであることが好ましく、０．５ｍｍ〜２ｍｍであることがより好ましい。
また、椅子カバー１０を構成する各部分は、全て同一材料のシート体から構成されていてもよく、各部分毎に異なる材料のシート体から構成されていてもよい。例えば、座面カバー部６は、折り畳み椅子３０の使用時に最も荷重がかかる部分であることから、比較的強度の高い合成繊維を含むシート体から構成される一方、座面カバー部６に比して荷重のかかり難い部分である背もたれカバー部７は高級感のある天然皮革又は合成皮革を含むシート体から構成されていてもよい。
コキ本体９２２は、帯状体９１を連結し得る機械的強度を有する材料から形成されており、このような材料としては、鉄、アルミニウム、銅、及びこれらの合金などを含む金属、合成樹脂、又は金属を混入させた合成樹脂などが挙げられ、一般的には、金属又は合成樹脂が用いられる。
【００３０】
次に、本実施形態に係る椅子カバー１０の取り付け方法（折り畳み椅子３０の組み立て方法）について図１１乃至図１６を参照しつつ説明する。
まず、図１１に示すように、閉状態にある椅子フレーム２０を開状態に至る中間状態に変形させる。中間状態は、座面枠体１の前縁部１２と背もたれ枠体２の上縁部２２を若干離間させた状態である。この中間状態において、椅子カバー１０の背もたれカバー部７の第１開口部７３に背もたれ枠体２を上縁部２２から挿入する。背もたれ枠体２を、その上縁部２２が第１係止部７１の最上部（前面部７１１と後面部７１２の境界部）に至るまで押し入れ、第１枠体露出孔７４から背もたれ枠体２を露出させる。そうすると、第１係止部７１の最上部に背もたれ枠体２の上縁部２２が当接するため、背もたれ枠体２をそれ以上第１係止部７１に押し入れることができない。このようにして、背もたれカバー部７は、第１係止部７１によって背もたれ枠体２の上縁部２２に係止可能である。
なお、背もたれカバー部７を背もたれ枠体２に係止させる際、第１枠体露出孔７４から手を入れて背もたれ枠体２の上縁部２２を掴むことにより、背もたれ枠体２を第１係止部７１の最上部まで押し入れ易くなり、背もたれカバー部７を容易に背もたれ枠体２に係止させることができる。
【００３１】
続いて、中間状態において、椅子カバー１０の座面カバー部６の第２開口部６５に座面枠体１を前縁部１２から挿入する。座面枠体１を、その前縁部１２が第２係止部６１の最前部（上面部６１１と裏面部６１２の境界部）に至るまで押し入れ、第２枠体露出孔６４から座面枠体１を露出させる。そうすると、第２係止部６１の最前部に座面枠体１の前縁部１２が当接するため、座面枠体１をそれ以上第２係止部６１に押し入れることができない。このようにして、座面カバー部６は、第２係止部６１によって座面枠体１の前縁部１２に係止可能である。
なお、座面カバー部６を座面枠体１に係止させる際、第２枠体露出孔６４から手を入れて座面枠体１の前縁部１２を掴むことにより、座面枠体１を第２係止部６１の最前部まで押し入れ易くなり、座面カバー部６を容易に座面枠体１に係止させることが可能である。
【００３２】
本実施形態では、上述したように座面カバー部６が２組の連結手段（裏面部６１２に設けられた雄面ファスナー領域６５１と上面部６１１に設けられた雌面ファスナー領域６５２からなる第１連結手段６５、及び、耳部６６に設けられた雄面ファスナー領域６７１と上面部６１１に設けられた雌面ファスナー領域６７２からなる第２連結手段６７）を有する。そのため、座面カバー部６を座面枠体１に係止させた後、座面カバーの耳部６６を座面枠体１の第１側縁部１１に巻き付けつつ耳部６６に設けられた雄面ファスナー領域６７１と上面部６１１の背面側に設けられた雌面ファスナー領域６７２を連結し、さらに、座面カバー部６の裏面部６１２の正面側に設けられた雄面ファスナー領域６５１と上面部６１１の裏面側に設けられた雌面ファスナー領域６５２を連結することにより、座面カバー部６はより強固に座面枠体１に係止される。
【００３３】
続いて、中間状態にある折り畳み椅子３０を閉状態に変形させた後、図１２に示すように、座面枠体１を下にして設置面上に折り畳み椅子３０を載置する。そして、第３係止部８の巻着部８１を椅子フレーム２０の棒状部材３に巻き付けつつ、巻着部８１の下縁部に設けられた雄面ファスナー領域８２１とその上縁部に設けられた雌面ファスナー領域８２２（即ち、第３連結手段８２）を連結することにより、第３係止部８が椅子フレーム２０の棒状部材３に着脱可能に係止される。
続いて、背もたれ枠体２を立ち上げることにより、折り畳み椅子３０が開状態となる。この際、図１３に示すように、椅子フレーム２０の後脚枠体５を足で設置面に押さえつけると、背もたれ枠体２を比較的容易に立ち上げることができる。
本実施形態では、椅子カバー１０は帯状体９１及びコキ９２を有する引張部材９を備えているが、帯状体９１はこの段階でコキ９２と連結してもよく、後述するように、使用者が座面に座ってから連結してもよい。
【００３４】
上記のような手順で、本発明の椅子カバー１０を椅子フレーム２０に取り付けることができる。また、本発明の椅子カバー１０は、上述した手順を逆に辿ることにより、容易に椅子フレーム２０から取り外すことができる。つまり、折り畳み椅子３０を閉状態にした後、第３係止部８を棒状部材３から取り外し、その後、折り畳み椅子３０を中間状態にした後、座面カバー部６及び背もたれカバー部７をそれぞれ座面枠体１及び背もたれ枠体２から取り外すことにより椅子カバー１０を椅子フレーム２０から取り外すことができる。
もっとも、折り畳み椅子３０の組み立て方法は上述の手順に限定されない。例えば、背もたれカバー部７よりも先に座面カバー部６を係止させてもよく、折り畳み椅子３０を開状態とする際、背もたれ枠体２を設置面に載置せずに背もたれ枠体２と座面枠体１を離反させてもよく、折り畳み椅子３０を開状態とした後に第３係止部８を棒状部材３に係止させてもよい。このような手順であっても、椅子カバー１０を椅子フレーム２０に着脱可能に取り付けることができる。
このように、本発明の椅子カバー１０は、椅子フレーム２０に着脱可能に取り付けることができる。そのため、椅子カバー１０が著しく汚れた場合又は使用者が椅子カバー１０の意匠に飽きた場合、椅子フレーム２０ごと折り畳み椅子３０を買い換えることなく、椅子カバー１０だけを交換することができる。
【００３５】
さらに、本実施形態に係る椅子カバー１０は、引張部材９を有するため、従来の折り畳み椅子３０に比して優れた使用感を実現できる。
具体的には、上述のように開状態とされた折り畳み椅子３０の座面に使用者が座ると、座面カバー部６が使用者の体重によって下方に沈み込む。折り畳み椅子３０の使用感は、この座面カバー部６の沈み込み具合によって大きく左右される。即ち、使用者が座面に座った際、座面カバー部６が大きく沈み込むと、使用者の重心が後方へ移動し過ぎることにより、使用者が折り畳み椅子３０から立ち上がり難くなる。従って、理想的な折り畳み椅子３０は、座面カバー部６が適度に沈み込むことが求められる。
しかしながら、座面カバー部６の沈み込み具合は、使用者の体重に大きく依存する。そのため、座面カバー部６の沈み込み具合を調整できない従来の折り畳み椅子３０では、快適な使用感を特定の体重を有する使用者にしか提供することができない。
【００３６】
この点、本実施形態の椅子カバー１０は、椅子フレーム２０に取り付けた後、第１係止部７１と第３係止部８との間に架設された引張部材９によって座面カバー部６の緊張状態を調整することができ、その結果、使用者に合わせて適度に座面カバー部６を沈み込ませることができる。
具体的には、折り畳み椅子３０に腰掛けた使用者Ａが、座面カバー部６の沈み込みが大き過ぎると感じた場合、第３係止部８に設けられた帯状体９１を後方に引っ張ることにより、第３係止部８と連なった座面カバー部６を背もたれカバー部７の側に引き寄せることができる。座面カバー部６を背もたれカバー部７の側に引き寄せることにより、座面カバー部６は緊張状態となり、座面カバー部６の沈み込みを低減させることができる。そして、座面カバー部６を引き寄せつつ帯状体９１を背もたれカバー部７に設けられたコキ９２に連結することにより、使用者Ａが腰掛けている間、座面カバー部６の緊張を保つことができる。また、使用者Ａの後に使用者Ａよりも体重の軽い使用者Ｂが折り畳み椅子３０に腰掛ける場合、帯状体９１とコキ９２の連結を緩めることにより座面カバー部６を弛緩させ、使用者Ｂに適した沈み込み具合を実現することができる（図１４乃至図１６参照）。
このように、本実施形態の椅子カバー１０は、引張部材９により座面カバー部６の沈み込み具合を調整できるため、多くの使用者に快適な使用感を提供することができる。
【００３７】
本発明の椅子カバー１０は、上記第１実施形態に限られず、本発明の意図する範囲で様々に設計変更できる。以下、本発明の第２乃至第８実施形態に係る椅子カバー１０について説明するが、第２乃至第８実施形態に係る椅子カバー１０については、これまでに説明した椅子カバー１０との相違点について説明し、共通する構成及び作用・効果については説明を適宜省略し、用語及び符号をそのまま援用する場合がある。
【００３８】
［第２実施形態］
図１７に示す第２実施形態では、第１枠体露出孔７４及び第２枠体露出孔６４の位置を第１実施形態から変更している。
本実施形態では、第１枠体露出孔７４は背もたれカバー部７の上縁部の中央部に設けられており、第２枠体露出孔６４は座面カバー部６の下縁部の中央部に設けられている。
上述のように、椅子カバー１０を椅子フレーム２０に取り付ける際、第１枠体露出孔７４から手を入れて背もたれ枠体２を掴むことにより、背もたれ枠体２を背もたれカバー部７に押し入れ易くなる。本実施形態では、背もたれカバー部７の上縁部の中央部に第１枠体露出孔７４が設けられているため、背もたれ枠体２の上縁部２２の中央を掴むことができ、それ故、背もたれ枠体２を左右に偏りなく背もたれカバー部７に押し入れ易くなる。そのため、より素早く背もたれカバー部７を背もたれ枠体２に係止させることができる。第２枠体露出孔６４についても同様のことが言える。
なお、特に図示しないが、本実施形態に対し、第１実施形態で示した第１及び第２枠体露出孔７４，６４をさらに加えてもよい（即ち、第１及び第２枠体露出孔７４，６４をそれぞれ３カ所設けてもよい）。この場合、背もたれカバー部７を背もたれ枠体２に係止させる際、背もたれ枠体２の上縁部２２の中央部及び側端部を掴むことができるため、さらに素早く背もたれカバー部７を背もたれ枠体２に係止させることができる。第２枠体露出孔６４についても同様のことが言える。
さらに、第１及び第２枠体露出孔７４，６４の形状は、本実施形態及び第１実施形態では、背面視半月状とされているが、この形状は特に限定されず、背面視正方形状、背面視長方形状、背面視逆三角形状など任意の形状とすることも可能である（図示せず）。
【００３９】
［第３実施形態］
図１８に示す第３実施形態では、引張部材９の形態を第１実施形態から変更している。
本実施形態では、引張部材９は、第３係止部８の巻着部８１の正面側から下方に延びる長方形状の第１シート部９３と、後面部７１２の下縁部から下方に延びる長方形状の第２シート部９４を有する。第１シート部９３の裏面側には、雄面ファスナー領域９３１が設けられており、第２シート部９４の裏面側には、雌面ファスナー領域９４１が設けられている。雄面ファスナー領域９３１は、第１シート部９３の側方に連続的に延びるように設けられており、雌面ファスナー領域９４１は、第２シート部の側方に連続的に延びるように設けられている。
本実施形態でも、椅子カバー１０を椅子シートに取り付けた後、第１シート部９３を後方に引っ張ることにより座面カバー部６を後方に引き寄せることができ、その結果、座面カバー部６の緊張状態を調整することができる。そして、座面カバー部６を緊張させたまま、第１シート部９３の雄面ファスナー領域９３１と第２シート部９４の雌面ファスナー領域９４１を連結することで座面カバー部６の緊張状態を保つことができる。
なお、特に図示しないが、雄ファスナー領域９３１及び雌面ファスナー領域９４１は、それぞれ第１シート部９３及び第２シート部９４の側方に断続的に延びるように設けられていてもよい。両シート部９３，９４の形成材料は特に限定されないが、上述したシート体を用いることが好ましい。
【００４０】
［第４実施形態］
図１９に示す第４実施形態では、引張部材９の形態を第１実施形態から変更している。
本実施形態では、引張部材９は、第３係止部８から延設された複数の（本実施形態では３つの）帯状体９１と、後面部７１２の下縁部に設けられた複数の（本実施形態では３つの）ピンバックル９５を有する。第１実施形態の帯状体９１と同様に、本実施形態においても帯状体９１は、第３係止部８の巻着部８１の正面側から下方に延びており、側方に等間隔を空けて設けられている。また、本実施形態では、ピンバックル９５のピンが挿通される複数の孔部９１１が帯状体９１に穿設されている。ピンバックル９５は、後面部７１２のの下縁部から下方に延びる帯状部９５１と帯状部９５１の先端に設けられたピンバックル本体９５２を有しており、側方に等間隔を空けて複数（本実施形態では３つ）設けられている。
本実施形態では、孔部９１１を有する帯状体９１をピンバックル本体９５２に通し、ピンバックル本体９５２のピンを帯状体９１の孔部９１１に挿通させることにより、帯状体９１とピンバックル９５を連結することができる。なお、特に図示しないが、ピンバックル本体９５２の位置を帯状体９１の下端部に変更することもできる。この場合、帯状部９２１に孔部９１１が設けられる。
【００４１】
［第５実施形態］
図２０に示す第５実施形態では、引張部材９の形態を第１実施形態から変更している。
本実施形態では、引張部材９は、第３係止部８から延設された複数の（本実施形態では３つの）帯状体９１と、後面部７１２の上下方向における中途部から延設されたシート９６を有する。本実施形態では、帯状体９１にそれぞれ複数の（本実施形態では３つの）ボタン９１２が設けられている。シート９６は、後面部７１２よりも小さな長方形状であり、複数のボタン孔９６１を有する。
本実施形態では、帯状体９１のボタン９１２をシート９６に設けられたボタン孔９６１に係合させることにより、帯状体９１とシート９６を連結することができる。なお、特に図示しないが、シート９６にボタン９１２を設け且つ帯状体９１にボタン孔９６１を設けることも可能である。
【００４２】
［第６実施形態］
図２１に示す第６実施形態では、第３係止部８の形態を第１実施形態から変更している。
第１実施形態では、第３係止部８は、側方に連続的に延びるように設けられているが、本実施形態では、第３係止部８は、側方に断続的に延びるように設けられている。即ち、背もたれカバー部７と座面カバー部６の連結部には、第３係止部８が設けられていない空隙がある。第３係止部８は、巻着部８１と、巻着部８１の下縁部に設けられた雄面ファスナー領域８２１及び巻着部８１の上縁部に設けられた雌面ファスナー領域８２２からなる第３連結手段８２を有しているが、本実施形態では、巻着部８１が分割されているため、連結手段８２も巻着部８１と同様に分割されている。
なお、図２１に示すように、本実施形態では、２つの空隙により第３係止部８が３つに分割されているが、空隙の数及び幅は特に限定されず、適宜変更することができる。もっとも、あまりに第３係止部８の総幅（分割された複数の第３係止部８の幅を総合した長さ）が短くなれば、第３係止部８を棒状部材３に強固に係止させることができない虞がある。そのため、本実施形態のように第３係止部８を側方に断続的に設ける場合、第３係止部８の総幅を空隙の総幅よりも長くすることが好ましく、より好ましくは、第３係止部８の総幅Ｗ１と空隙の総幅Ｗ２の比率（Ｗ１／Ｗ２）は、３／２〜７／２である。
【００４３】
［第７実施形態］
図２２に示す第７実施形態では、引張部材９の配置を第１実施形態から変更している。
本実施形態では、引張部材９は、椅子カバー１０を椅子フレーム２０に取り付けた際、第１係止部７１と座面カバー部６との間に架設される。具体的には、本実施形態では、引張部材９は、座面カバー部６の上面部６１１の背面側に設けられた帯状体９１と、後面部７１２の上縁部に設けられたコキ９２を有する。
帯状体９１は、上面部６１１の背面側から下方に延びており、側方に等間隔を空けて複数（本実施形態では３つ）設けられている。コキ９２は、後面部７１２の上縁部から下方に延びており、側方に等間隔を空けて複数（本実施形態では３つ）設けられている。本実施形態では、帯状体９１の基端部とコキ９２の間隔が第１実施形態に比して長いため、帯状体９１の長さは第１実施形態よりも長く設定されている。
本実施形態でも、椅子カバー１０を椅子シートに取り付けた後、帯状体９１を後方に引っ張ることにより座面カバー部６を後方に引き寄せることができ、その結果、座面カバー部６の緊張状態を調整することができ、さらに帯状体９１をコキ９２に連結することで座面カバー部６の緊張状態を維持することができる。
【００４４】
［第８実施形態］
図２３に示す第８実施形態では、第１係止部７１の後面部７１２の形態を第１実施形態から変更している。
第１実施形態では、後面部７１２は全体的に略長方形状であるが、本実施形態では、図２３に示すように、後面部７１２の形状は、略逆台形状である。本実施形態でも後面部７１２の周縁部は、その下縁部及び第１切欠部７２を除いて、前面部７１１と固着されている。従って、本実施形態でも、第１係止部７１は、３つの穴（左右一対の枠体露出孔７４及び第１開口部７３）を有する袋状に形成されている。従って、本実施形態でも、第１実施形態と同様に背もたれ枠体２に係止させることができる。
また、本実施形態では、後面部７１２の下端縁部の中央部には、１つのコキ９２が設けられており、これに対応して、第３係止部８には１つの帯状体９１が設けられている。もっとも、コキ９２及び帯状体９１の数は２以上であってもよい。
【００４５】
なお、本発明の椅子カバー１０は、第１乃至第８実施形態で示した具体的な構成に限定されず、本発明の意図する範囲内で、各実施形態の構成を組み合わせるなど、適宜設計変更することができる。
例えば、第６実施形態で示した第３係止部に第４実施形態で示した引張部材を適用してもよいし、第２乃至第８実施形態の椅子カバー１０に第２実施形態で示した第１及び第２枠体露出孔を適用してもよい。
また、第１乃至第８実施形態で示した椅子カバー１０から耳部を除くことや、座面カバー部の裏面部の正面側に設けられた雄面ファスナー領域及び上面部の裏面側に設けられた雌面ファスナー領域を除くことも可能である。さらに、雄面ファスナー領域と雌面ファスナー領域を入れ替えることも可能である。
【符号の説明】
【００４６】
１  座面枠体
２  背もたれ枠体
３  棒状部材
４  前脚枠体
５  後脚枠体
６  座面カバー部
６１  第２係止部
６１１  上面部
６１２  裏面部
６３  第２係止部
７  背もたれカバー部
７１  第１係止部
７１１  前面部
７１２  後面部
８  第３係止部
９  引張部材
１０  椅子カバー
２０  椅子フレーム
３０  折り畳み椅子
【図１】
2018175100.tif 000003
【図２】
2018175100.tif 000004
【図３】
2018175100.tif 000005
【図４】
2018175100.tif 000006
【図５】
2018175100.tif 000007
【図６】
2018175100.tif 000008
【図７】
2018175100.tif 000009
【図８】
2018175100.tif 000010
【図９】
2018175100.tif 000011
【図１０】
2018175100.tif 000012
【図１１】
2018175100.tif 000013
【図１２】
2018175100.tif 000014
【図１３】
2018175100.tif 000015
【図１４】
2018175100.tif 000016
【図１５】
2018175100.tif 000017
【図１６】
2018175100.tif 000018
【図１７】
2018175100.tif 000019
【図１８】
2018175100.tif 000020
【図１９】
2018175100.tif 000021
【図２０】
2018175100.tif 000022
【図２１】
2018175100.tif 000023
【図２２】
2018175100.tif 000024
【図２３】
2018175100.tif 000025